(57)【要約】【課題】  表面がツヤ仕上げ及び凹凸が多いツヤ消し仕上げのブラックボードに付着したインクを、簡易且つ迅速に消すことができるブラックボード専用消字クリーナー液を提供する。【解決手段】  精製水にアルカリ電解水、天然化粧品原料、界面活性剤とエタノールを含み、ブラックボード１からインク（水性顔料インク）２を天然化粧品原料により泡立たせて、界面活性剤でブラックボード１からインク２を浮き上がらせ、アルカリ電解水でインク２をブラックボード１から反発力で引き剥がし、更にインク２を細かく分離させてブラックボード１に再付着させないようにし、エタノールによりインク２の拭き取り後の乾燥を素早くできるブラックボード専用消字クリーナー液である。【選択図】        図１
2017125172.tif 000002
【特許請求の範囲】
【請求項１】
不織布に含浸させて２週間、ｐＨ値が「１０」以上で安定しているアルカリ電解水と天然化粧品原料が、精製水に含まれるブラックボード専用消字クリーナー液。
【請求項２】
界面活性剤とエタノールが加えられた請求項１記載のブラックボード専用消字クリーナー液。
【請求項３】
天然化粧品原料として、ソープナッツエキスパウダーを用いた請求項１又は２記載のブラックボード専用消字クリーナー液。
【請求項４】
アルカリ電解水が０．１重量％以上１．５重量％以下であり、天然化粧品原料が０．００５重量％以上０．０１５重量％以下であり、精製水が５３．８９重量％以上６３．８９重量％以下である請求項１乃至３のいずれか記載のブラックボード専用消字クリーナー液。
【請求項５】
アルカリ電解水が１．０重量％であり、天然化粧品原料が０．００５重量％以上０．０１５重量％以下であり、精製水が５３．８９重量％以上６３．８９重量％以下である請求項１乃至３のいずれか記載のブラックボード専用消字クリーナー液。
【請求項６】
エタノールが２０.０重量％以上４０．０重量％以下であり、界面活性剤が５．０重量％以上１５．０重量％以下である請求項２記載のブラックボード専用消字クリーナー液。
【発明の詳細な説明】
【技術分野】
【０００１】
本発明は、ブラックボード専用の消字クリーナー液に係り、特に、専用のカラーのインクで描かれたブラックボードから、そのインクを容易に消すことができるブラックボード専用消字クリーナー液に関する。
【背景技術】
【０００２】
［従来の技術］
従来、レストランやショップ等で宣伝用に用いられるブラックボードには、専用のカラーのインクで文字や図柄等が描かれるものがある。尚、ブラックボードに用いるマーカーのインクは、発色のよい水性顔料インクを用いている。
そのブラックボードに描かれたインク（水性顔料インク）を消す場合には、水を含ませた布を用いてブラックボードの表面を擦って水拭きして消すようにしていた。
【０００３】
［関連技術］
尚、ホワイトボード用のクリーナーは、商品化されている。その先行技術としては、特開２０００−１７２９２号公報「クリーナー液」（ぺんてる株式会社）［特許文献１］がある。
【０００４】
特許文献１は、ホワイトボードの表面を傷付けることなく、ペンの筆跡を除去するために、低級アルコールを５５〜８５重量％、二価アルコールジ脂肪酸エステルを２〜２０重量％、ポリオキシエチレンアルキルエーテル又はポリオキシエチレンアルキルフェニルエーテル０．５〜５重量％を少なくとも含むクリーナー液である。
【先行技術文献】
【特許文献】
【０００５】
【特許文献１】特開２０００−１７２９２号公報
【発明の概要】
【発明が解決しようとする課題】
【０００６】
しかしながら、上記従来の水を含ませた布による消字方法では、インクがブラックボードの表面に広がってしまい、消すのに時間と労力を要することになるという問題点があった。
【０００７】
尚、ホワイトボード用のマーカーのインクは、油性インクが主であるため、消字そのものはフェルト等で容易に行うことができ、特許文献１では、消字後の板面の汚れ（インク残り）を落とすものであり、水性顔料インクを消字するためのブラックボード用の消字クリーナー液に対応したものとはなっていないものである。
【０００８】
本発明は上記実状に鑑みて為されたもので、表面がツヤ仕上げ及び凹凸が多いツヤ消し仕上げのブラックボードに付着した水性顔料インクを、簡易且つ迅速に消すことができるブラックボード専用消字クリーナー液を提供することを目的とする。
【課題を解決するための手段】
【０００９】
上記従来例の問題点を解決するための本発明は、ブラックボード専用消字クリーナー液において、不織布に含浸させて２週間、ｐＨ値が「１０」以上で安定しているアルカリ電解水と天然化粧品原料を、精製水に含ませたことを特徴としている。
【００１０】
本発明は、上記ブラックボード専用消字クリーナー液において、界面活性剤とエタノールが加えられたことを特徴としている。
【００１１】
本発明は、上記ブラックボード専用消字クリーナー液において、天然化粧品原料として、ソープナッツエキスパウダーを用いたことを特徴としている。
【００１２】
本発明は、上記ブラックボード専用消字クリーナー液において、アルカリ電解水が０．１重量％以上１．５重量％以下であり、天然化粧品原料が０．００５重量％以上０．０１５重量％以下であり、精製水が５３．８９重量％以上６３．８９重量％以下であることを特徴としている。
【００１３】
本発明は、上記ブラックボード専用消字クリーナー液において、アルカリ電解水が１．０重量％であり、天然化粧品原料が０．００５重量％以上０．０１５重量％以下であり、精製水が５３．８９重量％以上６３．８９重量％以下であることを特徴とする。
【００１４】
本発明は、上記ブラックボード専用消字クリーナー液において、エタノールが２０.０重量％以上４０．０重量％以下であり、界面活性剤が５．０重量％以上１５．０重量％以下であることを特徴としている。
【発明の効果】
【００１５】
本発明によれば、不織布に含浸させて２週間、ｐＨ値が「１０」以上で安定しているアルカリ電解水と天然化粧品原料を、精製水に含ませたブラックボード専用消字クリーナー液としているので、ブラックボードから水性顔料インクを天然化粧品原料により泡立たせて、アルカリ電解水でインクをブラックボードから反発力で引き剥がし、更にインクを細かく分離させてブラックボードに再付着させないようにし、容易に消字できる効果がある。
【００１６】
本発明によれば、界面活性剤とエタノールが加えられた上記ブラックボード専用消字クリーナー液としているので、界面活性剤でブラックボードの表面からインクを浮き上がらせることができ、エタノールによりインクの拭き取り後の乾燥を素早くできる効果がある。
【図面の簡単な説明】
【００１７】
【図１】ブラックボードに付着したインクを洗浄する仕組みを説明するための説明図である。
【図２】マーカーとクリーナー液の噴霧箇所を示す概略図である。
【図３】比較実験１を示す図である。
【図４】比較実験２を示す図である。
【図５】比較実験３を示す図である。
【発明を実施するための形態】
【００１８】
本発明の実施の形態について図面を参照しながら説明する。
［実施の形態の概要］
本発明の実施の形態に係るブラックボード専用消字クリーナー液は、精製水に長時間電気分解を行って濃縮したアルカリ電解水、界面活性剤、揮発性の高いエタノール、更にソープナッツ等の天然化粧品原料を加えたものであり、それにより、ブラックボードに記入されたインクを浮き上がらせて、容易に消すことができ、その後の乾燥も素早くできるものである。
【００１９】
具体的には、本発明の実施の形態に係るブラックボード専用消字クリーナー液は、ブラックボードからインク（水性顔料インク）を天然化粧品原料により泡立たせて、界面活性剤でブラックボードからインクを浮き上がらせ、１０〜５０時間掛けて長時間電気分解されて濃縮されたアルカリ電解水でインクをブラックボードから反発力で引き剥がし、更にインクを細かく分離させてブラックボードに再付着させないようにし、エタノールによりインクの拭き取り後の乾燥を素早くできるものである。
【００２０】
本発明の実施の形態に係るブラックボード専用消字クリーナー液（本クリーナー液）について、説明する。
本クリーナー液は、エチルアルコール（エタノール）が２０.０〜４０．０重量％、界面活性剤が５．０〜１５．０重量％、アルカリ電解水（アルカリクリーナー）が０．５〜１．５重量％、ポリリジンが０．０５〜０．１５重量％、天然化粧品原料のリタ成分（ソープナッツエキスパウダー）が０．００５〜０．０１５重量％、精製水が５３．８９〜６３．８９重量％で構成されている。
【００２１】
特に、エタノールが３０．０重量％、界面活性剤が１０．０重量％、アルカリ電解水が１．０重量％、ポリリジンが０．１重量％、ソープナッツエキスパウダーが０．０１重量％、精製水が５８．８９重量％であることが望ましい。
【００２２】
エタノールは、本クリーナー液の揮発性を向上させるためのものであり、インクの消字作業終了後にクリーナー液を容易に乾燥させるものである。つまり、エタノールは、揮発剤として機能し、更に防腐剤の機能もある。
界面活性剤は、ポリオキシエチレンアルキルエーテルと、水溶性溶剤と、水とから構成されており、ブラックボードの表面からインクを浮き上がらせる効果がある。つまり、この界面活性剤は、洗浄剤として機能する。
【００２３】
アルカリ電解水は、水（Ｈ2Ｏ）を電気分解することで発生する水酸化物イオン（ＯＨ-）を多く含んだ水のことであり、ｐＨ値１１以上で１４以下のアルカリ性の水である。
本クリーナー液におけるアルカリ電解水は、洗浄剤として機能する。
具体的には、水の電気分解により、水素イオン（Ｈ+）を多く含んだ酸性電解水と、水酸化物イオン（ＯＨ-）を多く含んだアルカリ電解水を生成する。
電解時間を約数十時間（１０時間以上１００時間以下）とすることで、水酸化物イオンをより多く含むよう濃度を高めることができ、ｐＨ値を安定化できる。
尚、電気分解に用いる電極のサイズ、電流の量を大きくするよう制御することにより電解時間を上記時間より短くすることができる。例えば、電解時間を約数時間〜約数十時間（２時間以上１００時間以下）にできる。
【００２４】
アルカリ電解水は、通常、数十秒から数分程度の時間で電気分解されて生成されるものであるが、生成時にｐＨ値が「１１」程度で、そのアルカリ電解水を不織布に浸み込ませて（含浸させて）、３７℃で保管し、その後に１，３，５，７，１４，２１，２８日後に液をしぼり取って測定すると、７日後にはｐＨ値が劣化し、中性に戻ってしまうことを実験で確認した。
【００２５】
つまり、電解時間が、数十秒から数分間程度の短いものであると、不織布に浸み込ませた後に、数日でｐＨ値が低下する（中性に戻る）傾向が強い。そのため、アルカリ剤（炭酸塩又はｐＨ安定剤）を添加してアルカリ性を安定化したアルカリ電解水がある。但し、このアルカリ電解水では、使用感として、ヌルヌル感や白残りがあり、アルカリ性は維持しているものの洗浄力は低下している。
【００２６】
これに対して、本クリーナー液におけるアルカリ電解水は、約数十時間（２０〜９０時間）掛けて電気分解して濃縮しているので、ｐＨ値「１２」以上で安定している。
具体的には、生成時にｐＨ値が「１４」以上で、そのアルカリ電解水を不織布に浸み込ませて３７℃で保管し、その後に１，３，５，７，１４，２１，２８日後に液をしぼり取って測定すると、２８日後でもｐＨ値が「１０」以上でｐＨ値が劣化していないことを実験で確認した。
つまり、本クリーナー液のアルカリ電解水を不織布に浸み込ませて約１ヶ月間は、ｐＨ値「１０」以上で安定しているものである。
【００２７】
尚、上記アルカリ電解水では、数十時間掛けて電気分解して濃縮しているが、その約半分の時間（１０〜５０時間）掛けて電気分解して濃縮したアルカリ電解水を本クリーナー液に採用してもよい。
このアルカリ電解水では、電気分解及び濃縮の時間が約半分と短いため、生成時のｐＨ値が「１２」以上であり、その後ｐＨ値を持続する性能は弱くなるが、不織布に浸み込ませて２週間程度はｐＨ値が「１０」以上となるものである。
このアルカリ電解水も、電気分解に用いる電極のサイズ、電流の量を大きくするよう制御することにより電解時間を上記時間より短くすることができる。例えば、電解時間を約数時間〜約数十時間（２時間以上５０時間以下）にできる。
【００２８】
ポリリジンは、親水性アミノ基を含み、水中ではプラスに帯電し、細菌の細胞表面に静電的に吸着させた後、細菌の外膜を剥離させる機能を備えている。
本クリーナーにおいて、ポリリジンは防腐剤の役割を果たしている。
【００２９】
天然化粧品原料のソープナッツエキスパウダーは、ソープナッツの果実からエタノール溶液で抽出して得られたエキスを乾燥させたパウダー状にしたもの（粉末）で、サポニンと糖を多く含み、水と混ぜると泡立つ性質（起泡性）がある。
【００３０】
ソープナッツエキスパウダーの特徴は、上記起泡性に加えて、洗浄力、除菌、抗菌、消臭、抗酸化の機能を備えている。
尚、本クリーナーでは、天然化粧品原料としてソープナッツエキスパウダーを用いたが、起泡性のある原料であれば、それを用いることもできる。
【００３１】
［洗浄の仕組み：図１］
本クリーナー液による洗浄の仕組みについて図１を参照しながら説明する。図１は、ブラックボードに付着したインクを洗浄する仕組みを説明するための説明図である。
洗浄の仕組みは、図１（ａ）に示すように、まず、ブラックボード１にインク（水性顔料インク）２が付着している状態がある。
【００３２】
この図１（ａ）の状態で、ブラックボード１とインク２に本クリーナー液が吹き付けられると、図１（ｂ）に示すように、ソープナッツエキスパウダーによりインク２が泡立つと共に、アルカリ電解水によってブラックボード１とインク２がマイナスに帯電した状態となる。
【００３３】
その後に、図１（ｃ）に示すように、反発力によってインク２がブラックボード１から離れた状態になる。更に、図１（ｄ）に示すように、本クリーナー液がインク２の中に浸み込んでインク２を細かくインク２ａ，２ｂ，２ｃに分散させて、界面活性剤で包み込み、ブラックボード１に再付着させない状態にする。
尚、アルカリ電解水は、油分を分解、乳化する働きもある。
【００３４】
そして、布等でインク２ａ，２ｂ，２ｃが拭き取られる。布の代わりに、吸水性のあるスポンジとそれを覆う超極細繊維の袋部を有するブラックボード専用イレーザー（実願２０１５−００６６０８参照）を用いると効果的である。
インク２が拭き取られると、本クリーナー液のエタノールの揮発性によって、水に比べて乾燥が早く、消字後に文字等を描くことが迅速にできるものである。
【００３５】
［実験内容：図２］
次に、本クリーナー液を使用した場合の効果に関する実験内容について図２を参照しながら説明する。図２は、マーカーとクリーナー液の噴霧箇所を示す概略図である。
図２に示すように、四角い形状がブラックボードを示しており、帯状の横線がマーカーで引いた線であり、楕円の点線が本クリーナー液を噴霧した箇所を示している。図２では、説明を分かり易くするために、四角形状のブラックボードの色を黒ではなく白で表している。
【００３６】
［比較実験１：図３］
比較実験１について図３を参照しながら説明する。図３は、比較実験１を示す図である。
比較実験１として、弊社のホワイトボードクリーナー液を「現行品」とし、例えば２０〜９０時間掛けて電気分解して濃縮し、ｐＨ値が例えば「１４」で安定化したアルカリ電解水を精製水で希釈して、アルカリ電解水が０．５重量％となるクリーナー液（提案品１）を製造した。尚、その他の成分は、上述した本クリーナー液と同様であり、ただ、提案品１には、ソープナッツエキスパウダーが含まれていない。
【００３７】
このアルカリ電解水は、既に述べたように、電気分解・濃縮して製造した状態でｐＨ値「１４」以上となるよう長時間電気分解・濃縮したもので、不織布に含浸させた場合に、約２週間、若しくは、それ以上の期間、ｐＨの値が「１０」未満とならないよう安定化させている。
【００３８】
現行品と提案品１を比較すると、ブラックボードにマーカーで線を引いた３時間後が１段目の（１）に示されており、両者には変化がない。
そして、現行品と提案品１をブラックボードの噴霧箇所にスプレーして１分後が２段目の（２）に示されており、原稿品に比べて提案品１の方がマーカーの線の落ちがよい。
更に、布等で拭き上げた後が３段目の（３）に示されており、提案品１の方がよく拭き取られている。
【００３９】
［比較実験２：図４］
次に、比較実験２について図４を参照しながら説明する。図４は、比較実験２を示す図である。
比較実験２として、上記ホワイトボードクリーナー液と提案品１のアルカリ電解水が０．１重量％となるクリーナー液（提案品２）とを比較している。
提案品２は、提案品１よりアルカリ電解水の濃度が低くなっているが、２段目の（２）に示すように、洗浄力は強く、提案品１と変わらないものであった。
尚、提案品２も不織布に含浸させた場合に、約２週間又はそれ以上の期間、ｐＨの値が「１０」未満とならないよう安定化させている。
【００４０】
［比較実験３：図５］
次に、比較実験３について図５を参照しながら説明する。図５は、比較実験３を示す図である。
比較実験３における「最終商品」が本クリーナー液であり、例えば１０〜５０時間掛けて電気分解して濃縮し、ｐＨ値が例えば「１２」で安定化したアルカリ電解水を精製水で希釈して、アルカリ電解水が１．０重量％となるクリーナー液である。
【００４１】
最終商品は、提案品１，２と比較して電気分解・濃縮の時間が半分程度となっている。但し、最終商品も、不織布に含浸させた場合に、約２週間又はそれ以上の期間、ｐＨの値が「１０」未満とならないよう安定化させている。
尚、最終商品には、ソープナッツエキスパウダーが０．００５〜０．０１５重量％含まれている。
【００４２】
最終商品であっても、提案品１，２と比べて洗浄力は同程度で、マーカーの消え方は同じ程度であった。
ただ、提案品１，２では、４０℃の高温状態で、ブラックボードの板面を傷める危険性が確認された。具体的には、布等で拭き取った際に、布等にブラックボードのコーティングが僅かに付着する現象が見られた。
【００４３】
それに対して、最終商品では、高温状態では提案品１，２のようにはならず、布等にブラックボードのコーティングが付着する現象は見られなかった。
最終商品、提案品１，２では、常温では、ブラックボードの板面の剥がれは確認されていない。
【００４４】
尚、本クリーナーの最終商品は、アルカリ電解水が１．０重量％含まれるようにしたが、例えば、０．５重量％以上１．５重量％以下でアルカリ電解水が含まれるようにしてもよい。
また、本クリーナー液にソープナッツエキスパウダーが含まれない商品を提供してもよい。
【００４５】
［実施の形態の効果］
本クリーナー液によれば、精製水にアルカリ電解水と天然化粧品原料を含ませたものとしているので、ブラックボード１に記入されたインク２を天然化粧品原料により泡立たせて、ｐＨ値が「１０」以上で約２週間安定しているアルカリ電解水でインク２をブラックボード１から反発力で引き剥がし、更にインク２を細かく分離させてブラックボード１に再付着させないようにし、容易に消字できる効果がある。
【００４６】
本クリーナー液によれば、界面活性剤とエタノールが加えられたものとしているので、界面活性剤でブラックボード１の表面からインク２を浮き上がらせることができ、エタノールによりインク２の拭き取り後の乾燥を水に比べて素早くできる効果がある。
【産業上の利用可能性】
【００４７】
本発明は、表面がツヤ仕上げ及び凹凸が多いツヤ消し仕上げのブラックボードに付着した水性顔料インクを、簡易且つ迅速に消すことができるブラックボード専用消字クリーナー液に好適である。
【符号の説明】
【００４８】
１...ブラックボード、  ２...インク
【図１】
2017125172.tif 000003
【図２】
2017125172.tif 000004
【図３】
2017125172.tif 000005
【図４】
2017125172.tif 000006
【図５】
2017125172.tif 000007